(57)【要約】  本発明は、発信者端末から受信者端末へ伝送されたメッセージは受信者端末に伝送されたのか、受信者端末に到着したのか、受信者端末で確認されたのかが、発信者端末に明確に表示されるようにすることにより、メッセージの送受信に関連して発信者と受信者との間に誤解や不便さが生じないようにする、プッシュメッセージの信頼性判断のためのメッセージングシステムに関する。このために、本発明は、発信者端末から受信者端末へ伝送されるメッセージに対するプッシュメッセージを受信者端末に伝送し、プッシュメッセージの内容が非公開にされるプッシュメッセージ（Ｐｕｓｈ  Ｍｅｓｓａｇｅ）を受信者端末に伝送し、受信者端末とのセッション状態を判断し、セッション状態が接続状態であり且つ受信者端末がプッシュメッセージを確認していないとき、発信者端末にメッセージに対する状態が「到着完了」と表示されるように制御メッセージを伝送し、受信者端末でプッシュメッセージを確認したとき、発信者端末にメッセージに対する状態が「確認」と表示されるように制御メッセージを伝送することができる。
2016524761.tif 000002
【特許請求の範囲】
【請求項１】
発信者端末から受信者端末へ伝送されるメッセージに対するプッシュメッセージを前記受信者端末に伝送し、
前記プッシュメッセージの内容が非公開にされるプッシュメッセージ（Ｐｕｓｈ  Ｍｅｓｓａｇｅ）を前記受信者端末へ伝送し、
前記受信者端末とのセッション状態を判断し、前記セッション状態が接続状態であり且つ前記受信者端末が前記プッシュメッセージを確認していないとき、前記発信者端末に前記メッセージに対する状態が「到着完了」と表示されるように制御メッセージを伝送し、
前記受信者端末で前記プッシュメッセージを確認したとき、前記発信者端末に前記メッセージに対する状態が「確認」と表示されるように制御メッセージを伝送することを特徴とする、プッシュメッセージの信頼性判断のためのメッセージングシステム。
【請求項２】
前記受信者端末とのセッション状態が断絶状態であるとき、
前記発信者端末に前記メッセージに対する状態が「伝送中」と表示されるように制御メッセージを伝送することを特徴とする、請求項１に記載のプッシュメッセージの信頼性判断のためのメッセージングシステム。
【請求項３】
前記受信者端末が前記発信者端末と同一のチャットグループ内でメッセージの送受信を行う場合、前記受信者端末へ前記発信者に対する発信者情報を提供することを特徴とする、請求項１に記載のプッシュメッセージの信頼性判断のためのメッセージングシステム。
【請求項４】
前記発信者端末から前記受信者端末へ伝送されるメッセージが複数である場合、
前記受信者端末へ前記複数の各メッセージの到着有無のみが前記各メッセージの発送時間の順に提供されることを特徴とする、請求項１に記載のプッシュメッセージの信頼性判断のためのメッセージングシステム。
【請求項５】
前記複数のメッセージは、
互いに異なる発信者によって発送されるプッシュメッセージであることを特徴とする、請求項４に記載のプッシュメッセージの信頼性判断のためのメッセージングシステム。
【請求項６】
前記プッシュメッセージは、
文字、写真、画像および音声のいずれか一つに対するメッセージであることを特徴とする、請求項１に記載のプッシュメッセージの信頼性判断のためのメッセージングシステム。
【請求項７】
前記プッシュメッセージは、
前記発信者端末のユーザー音声が録音されたボイストーク（Ｖｏｉｃｅ Ｔａｌk）ファイルであることを特徴とする、請求項１に記載のプッシュメッセージの信頼性判断のためのメッセージングシステム。
【請求項８】
前記制御メッセージは、
前記メッセージの状態別の時間情報を含むことを特徴とする、請求項１に記載のプッシュメッセージの信頼性判断のためのメッセージングシステム。
【請求項９】
前記時間情報は、
前記受信者端末に前記プッシュメッセージが到着した時間、および前記受信者端末で前記プッシュメッセージを確認した時間に対する時間情報であることを特徴とする、請求項８に記載のプッシュメッセージの信頼性判断のためのメッセージングシステム。
【請求項１０】
前記プッシュメッセージは、
発信者が非公開にされるメッセージであることを特徴とする、請求項１に記載のプッシュメッセージの信頼性判断のためのメッセージングシステム。
【請求項１１】
前記プッシュメッセージは、
発信者情報が公開されるメッセージであることを特徴とする、請求項１に記載のプッシュメッセージの信頼性判断のためのメッセージングシステム。
【請求項１２】
前記発信者情報は、
前記発信者の名前、連絡先、ＩＤおよび別名のいずれか一つであることを特徴とする、請求項１１に記載のプッシュメッセージの信頼性判断のためのメッセージングシステム。
【発明の詳細な説明】
【技術分野】
【０００１】
本発明は、メッセージングシステムに係り、さらに詳しくは、発信者端末から受信者端末へ伝送されるメッセージの伝送有無、到着有無および受信確認有無を確認し、これが発信者携帯端末で表現されるようにすることにより、メッセージに対する信頼性を確認することができるようにする、プッシュメッセージの信頼性判断のためのメッセージングシステムに関する。
【背景技術】
【０００２】
モバイルフォンやスマートフォンなどの携帯端末を利用してメッセージを送受信する場合、発信者は、伝送したメッセージが受信者に到着して受信者が確認したのかを知ることができない。発信者は、発信者携帯端末にメッセージを伝送することができるだけであり、受信者携帯端末でメッセージを読み取った場合にのみ、メッセージが正常に伝送されて受信者が確認したことを知ることができる。
【０００３】
受信者の立場では、所望しないメッセージが急増したり、メッセージの内容について適当な回答がない場合があったり、スパムメッセージに悩まされることがある。これらの問題について、韓国公開特許１０−２００７−０１０７３７８号は、登録した発信者が伝送するコンテンツのみを受信し、発信者別にカスタマイズされた受信方法を設定することにより、受信者のプライバシーを保護する私生活保護のための付加通信サービスの提供方法を提案している。
【０００４】
しかし、韓国公開特許１０−２００７−０１０７３７８号は、受信者のプライバシー保護という側面についてのみ強調されただけであり、発信者の立場が排除される側面がある。
【０００５】
一般に、受信者端末は、メッセージが受信されるとき、受信したメッセージが誰のメッセージなのかを知ることができるので、所望しない発信者からのメッセージは読まないか、又は、受信者端末に受信されるメッセージに対してプレビュー機能を適用しておおよその内容を把握することができるので、プレビュー機能を利用して確認された内容が業務指示か所望しない要求である場合は、受信されたメッセージを選択せず、まるで見なかったかのように放置することもできるだろう。
【０００６】
これにより、メッセージを伝送する発信者は、受信者端末に伝送したメッセージが伝送されたのか、伝送された後に受信者端末に到着したのか、受信者が確認したのかを知ることができないため、息苦しいことがある。本出願人は、かかる問題点について、メッセージの発信者に伝送したメッセージの状態を知ることができるようにすることで、メッセージにより誘発される誤解や不便を減少させる、プッシュメッセージの信頼性判断のためのメッセージングシステムを提案しようとする。
【先行技術文献】
【特許文献】
【０００７】
【特許文献１】韓国公開特許第１０−２００７−０１０７３７８号公報
【発明の概要】
【発明が解決しようとする課題】
【０００８】
本発明の目的は、発信者が受信者に伝送したメッセージの状態を発信者に通知して発信者端末に表示されるようにすることで、メッセージの伝送により誘発される誤解と不便を減少させる、プッシュメッセージの信頼性判断のためのメッセージングシステムを提供することにある。
【課題を解決するための手段】
【０００９】
上記目的を達成するための本発明は、発信者端末から受信者端末へ伝送されるメッセージに対するプッシュメッセージを前記受信者端末に伝送し、前記プッシュメッセージの内容が非公開にされるプッシュメッセージ（Ｐｕｓｈ  Ｍｅｓｓａｇｅ）を前記受信者端末へ伝送し、前記受信者端末とのセッション状態を判断し、前記セッション状態が接続状態でありかつ前記受信者端末が前記プッシュメッセージを確認していないとき、前記発信者端末に前記メッセージに対する状態が「到着完了」と表示されるように制御メッセージを伝送し、前記受信者端末で前記プッシュメッセージを確認したとき、前記発信者端末に前記メッセージに対する状態が「確認」と表示されるように制御メッセージを伝送する、プッシュメッセージの信頼性判断のためのメッセージングシステムを提供する。
【発明の効果】
【００１０】
本発明によれば、発信者端末から受信者端末へ伝送されたメッセージは受信者端末に伝送されたのか、受信者端末に到着したのか、受信者端末で確認されたのかが、発信者端末に明確に表示されるようにすることにより、メッセージの送受信に関連して発信者と受信者との間に誤解や不便が生じないようにすることができる。
【図面の簡単な説明】
【００１１】
【図１】本発明の一実施形態に係るプッシュメッセージの信頼性判断のためのメッセージングシステムを示す概念図である。
【図２ａ】本出願人が事業化準備中のアプリのインターフェースを示す参照図である。
【図２ｂ】本出願人が事業化準備中のアプリのインターフェースを示す参照図である。
【図３】本出願人が事業化準備中のアプリのインターフェースを示す参照図である。
【図４】本出願人が事業化準備中のアプリのインターフェースを示す参照図である。
【図５】本出願人が事業化準備中のアプリのインターフェースを示す参照図である。
【図６】本発明の一実施形態に係るメッセージングシステムのプッシュメッセージの信頼性判断方法を示すフローチャートである。
【発明を実施するための形態】
【００１２】
本明細書で言及される携帯端末は、モバイルフォン、スマートフォン、ＰＤＡ（Ｐｅｒｓｏｎａｌ  Ｄｉｇｉｔａｌ  Ａｓｓｉｓｔａｎｔ）、およびその他のＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＬＴＥ（Ｌｏｎｇ  Ｔｅｒｍ  Ｅｖｏｌｕｔｉｏｎ）方式によって音声通信およびデータ通信が可能であり、タッチスクリーンを備える形態の機器を意味する。携帯端末は、タッチスクリーンを備えることを前提に記載および説明する。また、本明細書には、メッセージを伝送する側と受信する側とを基準に、携帯端末を発信者端末および受信者端末と記載する。
【００１３】
本明細書で言及されるメッセージは、発信者端末からプッシュメッセージの信頼性判断のためのメッセージングシステムへ伝送されるメッセージを示し、プッシュメッセージは、プッシュメッセージの信頼性判断のためのメッセージングシステムから受信者端末へ伝送されるメッセージを示す。本明細書において、メッセージとプッシュメッセージは説明および理解の便宜のために混用されて記載される。
【００１４】
本明細書において、プッシュメッセージの状態について「到着完了」と記載するのは、受信者端末でプッシュメッセージを受信したことを意味する。
【００１５】
本明細書において、プッシュメッセージの状態について「確認」と記載するのは、受信者端末でプッシュメッセージを確認したことを意味する。
【００１６】
以下、図面を参照して本発明を詳細に説明する。
【００１７】
図１は本発明の一実施形態に係るプッシュメッセージの信頼性判断のためのメッセージングシステム（以下「メッセージングシステム」という）を示す概念図である。
【００１８】
図１を参照すると、実施形態に係るメッセージングシステム２００は、発信者端末５０および受信者端末１００に無線ネットワーク接続され、発信者端末５０からメッセージを伝送するとき、メッセージに対するプッシュメッセージ（Ｐｕｓｈ  Ｍｅｓｓａｇｅ）を生成し、生成されたプッシュメッセージを受信者端末１００へ伝送する。このとき、メッセージングシステム２００は、受信者端末１００側のアプリとのセッション（Ｓｅｓｓｉｏｎ）状態に基づいて、プッシュメッセージについて２つの状態を判断することができる。ここで、セッションは、発信者端末５０と受信者端末１００とにインストールされるアプリ（Ａｐｐ）となすことを意味することができる。
【００１９】
１）セッションが維持される状態でプッシュメッセージを受信者端末１００へ伝達する場合、プッシュメッセージが受信者端末１００に伝達されたと判断し、
２）受信者端末１００にインストールされるアプリとのセッションが切れる場合、受信者端末１００へプッシュメッセージが伝送中であると判断することができる。
【００２０】
これに加えて、受信者端末１００側のアプリとのセッションを維持する状態で、アプリがプッシュメッセージに対するユーザーの選択を通知する場合、プッシュメッセージが受信者端末１００に到着したと判断することができる。
【００２１】
すなわち、セッションの維持状態と受信者端末１００にインストールされるアプリの通知を用いて、メッセージングシステム２００は、発信者端末５０から伝送されたメッセージに対するプッシュメッセージの状態を判断することができる。
【００２２】
判断結果に基づいて、メッセージングシステム２００は発信者端末５０へ制御メッセージを伝送することができる。メッセージングシステム２００は、発信者端末５０で起動するアプリでプッシュメッセージに対する状態をプッシュメッセージに対する「伝送中」、「到着完了」および「確認」の３つに分けて表示されるようにすることができる。
【００２３】
ここで、「伝送中」は、プッシュメッセージがメッセージングシステム２００から受信者端末１００へ伝送中である状態を意味し、受信者端末１００がパワーオフ状態であるか、或いは受信者端末１００でアプリが起動状態ではない場合を意味する。
【００２４】
また、「到着完了」は、受信者端末１００がアプリを起動する状態であるときにプッシュメッセージを伝送する場合、あるいはメッセージングシステム２００が送ったメッセージが受信者端末１００にメッセージ受信アラーム（通知）の形態で表示されて受信者端末１００でメッセージの到着か否かを知る場合を意味する。
【００２５】
また、「確認」は、受信者端末１００がパワーオン状態であり、受信者端末１００側のアプリが起動状態であり、この状態で受信者端末１００にプッシュメッセージを伝送したときに受信者端末１００でメッセージの内容を確認した場合を意味する。
【００２６】
前述したアプリは、発信者端末５０と受信者端末１００に同一のものがインストールでき、基本的に、発信者端末５０と受信者端末１００との間で音声通話を支援し、音声通話とともにメッセージの送受信のためのメッセージング機能を備えることができる。前述したアプリは次の各号による機能を行うことができる。
【００２７】
４）発信者端末５０と受信者端末１００との間でインスタントメッセージを送受信するメッセージングインターフェースをタッチスクリーンに表示および実行する機能、
５）発信者端末５０と受信者端末１００とが互いにインスタントメッセージをやりとりするグループを設定する機能、
６）発信者端末５０と受信者端末１００とのユーザーが自分の音声を録音してボイストーク（Ｖｏｉｃｅ  Ｔａｌｋ）ファイルを生成した後、相手の端末（発信者端末または受信者端末）に伝送し、この時、発信者端末５０と受信者端末１００とは、ウォーキートーキー無線機のように、それぞれが生成したボイストークファイルを交互に送受信する機能、
７）４）〜６）の機能をユーザーが利用するためのインターフェースを発信者端末５０または受信者端末１００に表示する機能を含むことができる。
【００２８】
ここで、発信者端末５０と受信者端末１００とが同じグループに属する場合、例えば、同じグループのチャットルームに発信者端末５０と受信者端末１００とが参加する場合には、発信者端末５０から受信者端末１００へ伝送するメッセージに対するプッシュメッセージの情報が公開できる。
【００２９】
実施形態において、プッシュメッセージは、発信者情報を非公開で処理することにより、受信者端末１００は、「メッセージが到着しました」のように、メッセージが到着したか否かを表示するようにし、受信者が該当メッセージを誰が発信したのかがわからないようしている。これにより、受信者が所望しない発信者のプッシュメッセージをフィルタリングするか、放置するか或いは読まない問題を解決している。
【００３０】
ところが、同じグループのチャットルームでメッセージング機能を利用して互いにインスタントメッセージをやりとりする場合、発信者端末５０や受信者端末１００のユーザーは、インスタントメッセージを互いにやりとりする状態であり、他の業務や日程によってプッシュメッセージを受けられない状態ではないことが明確なので、プッシュメッセージに対する発信者情報を隠す必要はない。
【００３１】
この場合には、発信者端末５０から受信者端末１００へ伝送されるプッシュメッセージに発信者情報が表示でき、この時のプッシュメッセージは、同じグループのチャットルームでユーザーの中の特定の人に対して個別メッセージを送る行為として理解できるだろう。
【００３２】
ここで、発信者情報は、発信者の名前、連絡先、ＩＤおよび別名のいずれかであるが、発信者の名前の場合、受信者端末１００で任意に設定されたものであってもよい。例えば、発信者の実名が「ホンギルドン」であり、受信者端末１００には「ギルドンイ」と設定されている場合は、発信者情報は「ホンギルドン」の代わりに「ギルドンイ」と表示されてもよい。
【００３３】
好ましくは、メッセージングシステム２００はプッシュメッセージ制御モジュール２１０、プッシュメッセージ発送モジュール２２０、データベース２３０およびメッセージングモジュール２４０を含んで構成できる。
【００３４】
プッシュメッセージ制御モジュール２１０は、発信者端末５０から受信者端末１００へのメッセージ伝送を要求するとき、プッシュメッセージ発送モジュール２２０にメッセージに対するプッシュメッセージの発送を要求し、プッシュメッセージの発送の際に、受信者端末１００とのセッション状態およびグループ設定状態を参照して、受信者端末１００へは発信者情報の表示／非表示を決定し、発信者端末５０へはプッシュメッセージに対する制御メッセージを伝送することができる。制御メッセージは、発信者端末５０にインストールおよび起動されるアプリのインターフェースでプッシュメッセージの状態が表示されるようにするメッセージを意味することができるが、制御メッセージは、発信者端末５０のアプリのインターフェースでプッシュメッセージに対して「伝送中」、「到着完了」および「確認」の３つについてテキストまたはイメージとしてプッシュメッセージの状態を表現することができる。
【００３５】
このとき、制御メッセージに時刻情報を含めることができる。例えば、受信者端末１００にプッシュメッセージが到着した時間、および受信者端末１００のユーザーがプッシュメッセージを確認した時間情報が制御メッセージに含まれ得る。
【００３６】
このような時間情報の表現によって、発信者端末５０のユーザーは、受信者がいつ自分のメッセージを受け取ったのか、いつ受信したメッセージを確認したのかを知ることができ、受信者は、メッセージの到着有無および確認有無が発信者に明らかに露見するので、メッセージの送受信に関連して互いに無駄な誤解を誘発する言動をしなくなる。
【００３７】
プッシュメッセージ発送モジュール２２０は、発信者端末５０から伝送されたメッセージに対してプッシュメッセージを作成し、作成されたプッシュメッセージを受信者端末１００へ伝送する。プッシュメッセージは、メッセージングシステム２００から受信者端末１００へ一方向に伝送されるもので、受信者端末１００側のアプリが一定の周期（例えば１０分）ごとにメッセージングシステム２００に接続してプッシュメッセージの伝送有無を確認し、未受信のプッシュメッセージが存在する場合には要求して受信する。或いは、メッセージングシステム２００が送ったプッシュメッセージを受信者端末５０が受信することが可能な状態である場合、例えば、受信者端末５０がパワーオン状態であるかまたは受信者端末５０にインストールされたアプリが起動可能な状態である場合にはプッシュメッセージを伝送して受信することができる。
【００３８】
したがって、プッシュメッセージは、発信者端末５０から受信者端末１００に伝送されても、常にリアルタイムで伝送されるわけではなく、受信者端末１００がメッセージングシステム２００に接続する周期や受信者端末５０の状態に応じて伝送遅延が発生しうる。ここで、受信者端末５０の状態は、受信者端末５０のパワーオンか否か、アプリの起動か否かによる受信者端末の状態を意味することができるが、受信者端末５０がパワーオフ状態である場合には、プッシュメッセージが受信者端末５０にリアルタイムで伝送できず、受信者端末に５０にインストールされたアプリが起動状態ではない場合でも、プッシュメッセージがリアルタイムで伝送されないことがある。
【００３９】
データベース２３０は、発信者端末５０と受信者端末１００とのユーザー情報（発信者情報および受信者情報）を備え、新バージョンのアプリを備えて発信者端末５０と受信者端末１００とに新規アプリを提供し、発信者端末５０または受信者端末１００でグループを設定する場合、グループ情報を備えることができる。このとき、グループ情報は、一つのチャットルームでインスタントメッセージをやりとりする相手に対する情報を意味することができる。
【００４０】
メッセージングモジュール２４０は、データベース２３０に設定されたグループ情報に基づいて、多数のユーザーに対してグループチャットを支援し、あるいは発信者端末５０と受信者端末１００とが１：１でインスタントメッセージをやりとりすることができるようにする。
【００４１】
プッシュメッセージ制御モジュール２１０は、信頼性判断モジュール２１１、セッションチェックモジュール２１２およびグループチェックモジュール２１３を含んで構成できる。
【００４２】
セッションチェックモジュール２１２は、発信者端末５０と受信者端末１００とにインストールされるアプリとのセッション状態をチェックすることができる。
【００４３】
グループチェックモジュール２１３は、メッセージングモジュール２４０を介してグループ化してインスタントメッセージをやりとりする対象を判断する。これは、発信者端末５０から受信者端末１００へメッセージを伝送するとき、メッセージに対するプッシュメッセージを伝送する対象が同じチャットグループ内に位置するかを判断するためのものである。もし、発信者端末５０と受信者端末１００が同じグループ内でグループチャットを行っている場合、発信者端末５０から受信者端末１００へ伝送するメッセージに対するプッシュメッセージは発信者情報を非公開に処理する必要がないからである。
【００４４】
信頼性判断モジュール２１１は、セッションチェックモジュール２１２とグループチェックモジュール２１３とのチェック結果に基づいて、発信者端末５０から受信者端末１００へ伝送を要求したメッセージに対するプッシュメッセージの状態を判断し、判断結果についての制御メッセージを作成して発信者端末５０へ提供することができる。制御メッセージによって、発信者端末５０は受信者端末１００に伝送要求したメッセージの状態を把握することができるが、この時、発信者端末５０のタッチスクリーンにはテキストまたはイメージとしてメッセージの状態が表示できる。また、制御メッセージは、受信者端末１００に発信者のメッセージが到着した時間、および受信者端末１００側で発信者のメッセージを確認した時間に対する時間情報を含むことができる。
【００４５】
また、制御メッセージはプッシュメッセージの種類についての情報を含むことができる。プッシュメッセージは、テキスト、音声、写真および画像ベースのメッセージのいずれか一つであってもよい。これらのうち、音声ベースによるプッシュメッセージは、本出願人提案のボイストークファイルに該当し得る。
【００４６】
ボイストークファイルは、発信者端末５０で発信者の音声を録音して形成されるファイルを示すもので、発信者端末５０と受信者端末１００とが互いに交互にボイストークファイルをやり取りしながら音声通信を行うのに利用できる。ボイストークファイルは、Ｗｉ−Ｆｉ網および３Ｇ／４Ｇのデータ網を利用して発信者端末５０と受信者端末１００が音声通信を行うとき、Ｗｉ−Ｆｉ網および３Ｇ／４Ｇのデータ網が不安定であっても、音声信号が損傷することなく安定的に送受信されるようにすることができる。これは、ボイストークファイルが音声信号を含み、ファイル形式を有するため、ファイル自体が損傷しない限り、通信網の状態や品質による影響を受けないようにして音声信号の品質が維持されるようにしてあるからである。信頼性判断モジュール２１１は、発信者端末５０から受信者端末１００へ伝送しようとするメッセージに対するプッシュメッセージの状態を「伝送中」、「到着完了」および「確認」の３つで判断して、これに対する制御メッセージを発信者端末５０へ伝送して発信者端末５０でメッセージに対する状態を判断することができるようにする。
【００４７】
図２〜図５は本出願人が事業化準備中のアプリのインターフェースを示す参照図である。
【００４８】
図２〜図５を参照して説明する。
【００４９】
まず、図２ａは、受信者端末１００に表示されるインターフェースの一例を示すもので、受信者端末１００にはアプリが非起動状態であるとき、受信者端末５０側のタッチスクリーン１０１に表示される一例を示す図である。
【００５０】
図２ａに示したインターフェースを考察すると、参照符号「１０３ｃ」は最も先に受信者端末１００に伝送されたプッシュメッセージを示し、参照符号「１０３ｂ」はその次に受信されたプッシュメッセージを示し、参照符号「１０３ａ」は最後に受信されたプッシュメッセージを示す。
【００５１】
各プッシュメッセージ１０３ａ〜１０３ｃはメッセージの内容が非公開に処理できる。このとき、受信者端末１００側のタッチスクリーン１０１には、メッセージの内容が非公開である状態でプッシュメッセージの到着有無のみが表示できる。
【００５２】
ここで、受信者端末１００へプッシュメッセージを伝送する発信者端末５０の発信者情報は公開または非公開で処理できる。好ましくは、発信者情報は非開示で処理して、受信者端末１００がメッセージの発信者とメッセージの内容をすべてわからないようにすることにより、プッシュメッセージの確認に対する信頼性をさらに向上させることもできるだろう。このとき、受信者端末１００のユーザーは、受信されたプッシュメッセージの発信者が誰なのかを知ることができず、プッシュメッセージの発信者とメッセージの内容が気になるなら、各プッシュメッセージ１０３ａ〜１０３ｃをそれぞれタッチしなければならない。ここで、プッシュメッセージ１０３ａ、１０３ｂおよび１０３ｃは、互いに異なる発信者端末から伝送されたものとなる場合がある。
【００５３】
次に、図２ｂは、受信者端末５０に表示されるインターフェースの他の例を示すものであって、受信者端末１００ではアプリが未起動状態にあり、複数のプッシュメッセージが一つにパッケージングされて表示されるインターフェースを示す。
【００５４】
図２ｂを参照すると、タッチスクリーン１０１には、受信者端末１００に受信されるプッシュメッセージの個数に応じるメッセージ到着通知メニュー１０３ｄが表示できるが、メッセージの到着通知メニュー１０３ｄがユーザーによってタッチされる場合、タッチスクリーン１０１には最後に到着したプッシュメッセージ（または最も先に受信者端末１００に到着したプッシュメッセージ）が表示され、残りのプッシュメッセージがユーザーの選択を待つようにメニューが構成される。或いは、メッセージ到着通知メニュー１０３ｄがユーザーによってタッチされる場合、タッチスクリーン１０１には受信者端末１００に到着したプッシュメッセージのリストが表示されることもできる。但し、特に限定されない。
【００５５】
図３は受信者端末１００がインスタントメッセージを送受信するとき、タッチスクリーン１０１にプッシュメッセージの受信を通知するインターフェースの一例を示す図である。
【００５６】
図３を参照すると、受信者端末１００のタッチスクリーン１０１にはメッセージ１０４がタッチスクリーン１０１に表示され、タッチスクリーン１０１の上端にはプッシュメッセージの到着を知らせる通知メッセージ１０３ｄを表示させることもできる。もし受信者端末１００が発信者端末５０とチャットしている場合、通知メッセージ１０３ｄは発信者情報を公開することができる。
【００５７】
図４はメッセージの種類を表現する一例を示す参照図である。図４（ａ）は、テキストタイプの通知メッセージの一例を示すもので、テキストタイプであることを表現するためのアイコン１０５ａがタッチスクリーン１０１に表示できる。
【００５８】
図４（ｂ）は、ボイストークファイルが受信されたことを知らせる通知メッセージ１０６を示し、通知メッセージ１０６の一側には、ボイストークタイプであることを表現するためのアイコン１０６ａがタッチスクリーン１０１に表示できる。
【００５９】
図５はボイストークの一例を示す参照図である。
【００６０】
ボイストークは、発信者端末５０と受信者端末１００とのユーザーが自分の端末５０または１００を用いてボイストークファイルを生成し、生成されたボイストークファイルを交互にやりとりするようにすることにより、ウォーキートーキー（Ｗａｌｋｉｅ−Ｔａｌｋｉｅ）のように音声通信を交互に行うことができるようにする。このとき、発信者端末５０と受信者端末１００はファイルをやりとりする方式で音声通信を行い、図５に示したインターフェースを用いてボイストークファイルを生成することができる。
【００６１】
図５を参照すると、図示したインターフェースは、タッチスクリーン１０１に表示され、音声入力領域１１４、スピーカーオン／オフメニュー１１２、リアルタイム再生メニュー１１１、モード切替メニュー１０２、ボイスメールメニュー１１６およびポップアップメニュー１１６を含んで構成できる。
【００６２】
音声入力領域１１４は、タッチスクリーン１０１において最も多くの面積を占めるメニューであって、タッチスクリーン１０１の表現領域の１／２ないし３／４でありうる。あるいは、一部のメニューに対するアイコンをタッチスクリーン１０１の一側に羅列し、全体領域を音声入力領域１１４として設定することもできる。アプリ（Ａｐｐ）は、音声入力領域１１４を発信者携帯端末１００のユーザーがタッチしたときにはユーザーの音声を録音し、ユーザーがタッチオフしたときにはユーザーの音声録音を終了することができる。
【００６３】
一方、アプリは、音声入力領域１１４においてユーザーが最初のタッチ位置１２１からＡ方向にドラッグ（Ｄｒａｇ）入力を発生させたとき、ボイストークファイルの生成を中断することができる。Ａ領域またはＡ領域と１８０度反対の方向にドラッグ入力が発生した場合、アプリは、音声入力領域１１４がタッチ状態であってもボイストークファイルを生成しないことがある。
【００６４】
参照符号「１１２」は、スピーカーオン／オフメニューであって、発信者端末５０から受信者端末１００へ伝送されたボイストークファイルを受信者端末１００で再生する際に、受信者端末１００に設けられるスピーカーまたはイヤホン（またはヘッドホン）で再生するか否かを設定することができる。
【００６５】
参照符号「１１１」は、発信者端末５０から受信者端末１００へ伝送されたボイストークファイルが受信者端末１００で自動再生されるようにする自動再生メニューに該当する。
【００６６】
参照符号「１０２」は、ボイストークモードとテキストメッセージモードを互いに切り替えるためのモード切替メニューであって、参照符号「１０２ａ」、「１０２ｂ」はそれぞれボイストークモードとテキストメッセージモードに対応するアイコンを示す。
【００６７】
参照符号「１１６」は、ボイスメールメニューであって、発信者端末５０と受信者端末１００とが互いにやりとりしたボイストークファイルを表示する。ボイスメールメニューは、受信者端末１００に登録され、受信者端末１００でユーザーによって呼び出されて再生できる。
【００６８】
参照符号「１１５」は、ポップアップメニューであって、ユーザーによってタッチされると、ボイストークで対話する受信者グループを設定するための受信者グループ設定メニューがタッチスクリーン１０１に表示できる。
【００６９】
図６は本発明の一実施形態に係るメッセージングシステムのプッシュメッセージの信頼性判断方法を示すフローチャートである。
【００７０】
図６を参照すると、まず、メッセージングシステム２００は、発信者端末５０からメッセージが受信されるか否かを判断し（Ｓ３０１）、メッセージが受信されると、メッセージに対するプッシュメッセージを作成して受信者端末１０へ伝送する。次に、メッセージングシステム２００は、受信者端末１００とのセッションが維持されるか否かを判断し（Ｓ３０３）、セッションが維持されない場合、発信者端末５０側のタッチスクリーン１０１のアプリインターフェースで「伝送中」が表現されるように制御メッセージを提供する（Ｓ３０５）。その後、メッセージングシステム２００は受信者端末１００とのセッションをチェックし（Ｓ３０６）、受信者端末５０とのセッションが接続されると判断されると（Ｓ３０７）、Ｓ３０４に進む。
【００７１】
次に、メッセージングシステム２００は、受信者端末５０とのセッションが維持される場合、発信者端末５０にメッセージの「到着」が表示されるように制御メッセージを提供し（Ｓ３０８）、受信者端末１００でプッシュメッセージを確認したのかを判断する。プッシュメッセージの確認有無は、受信者端末１００で起動するアプリがユーザーによる確認有無を通知することをチェックするものであって、メッセージが選択される場合、発信者端末にはプッシュメッセージに対する「確認」が表示されるように制御メッセージを伝送し、制御メッセージに時間情報を付加することで（Ｓ３０９）、メッセージの到着および確認時間を発信者端末５０のユーザーが判断できるようにする。
【図１】
2016524761.tif 000003
【図２ａ】
2016524761.tif 000004
【図２ｂ】
2016524761.tif 000005
【図３】
2016524761.tif 000006
【図４】
2016524761.tif 000007
【図５】
2016524761.tif 000008
【図６】
2016524761.tif 000009
【国際調査報告】
2016524761.tif 000010
2016524761.tif 000011
2016524761.tif 000012
2016524761.tif 000013